(57)【特許請求の範囲】
【請求項１】
信号を送信する方法であって、
端末デバイスにより、ダウンリンク制御情報（ＤＣＩ）を基地局から受信するステップであり、前記ＤＣＩはプリコーディング行列インデックスを含み、前記プリコーディング行列インデックスは第１のインデックス集合に属し、前記プリコーディング行列インデックスはアップリンクデータの送信のためのプリコーディング行列を決定するために使用され、前記第１のインデックス集合中の各インデックスは第１のプリコーディング行列集合中のプリコーディング行列に対応し、前記第１のプリコーディング行列集合は第２のプリコーディング行列集合の部分集合であり、前記第１のインデックス集合中の任意のプリコーディング行列インデックス値は前記第１のプリコーディング行列集合に含まれるプリコーディング行列の数以下である、ステップと、
前記端末デバイスにより、前記アップリンクデータを前記プリコーディング行列インデックスに従って送信するステップと、
を含み、
端末デバイスにより、第１のインデックス集合中の基地局により決定されたプリコーディング行列インデックスを受信する前記ステップの前に、前記方法はさらに、
前記端末デバイスにより、前記第１のプリコーディング行列集合の情報を前記基地局から受信するステップであり、前記第１のプリコーディング行列集合の前記情報は前記第２のプリコーディング行列集合の部分集合を示す、ステップを含む、方法。
【請求項２】
前記第１のプリコーディング行列集合は、前記第２のプリコーディング行列集合の適切な部分集合である、請求項１に記載の方法。
【請求項３】
前記第２のプリコーディング行列集合は、全体集合である、請求項１または２に記載の方法。
【請求項４】
前記第１のプリコーディング行列集合の情報は、前記基地局からの上位レイヤシグナリングに含まれる、請求項３に記載の方法。
【請求項５】
前記第１のプリコーディング行列集合は、前記端末デバイスの送信アンテナポートのコヒーレント情報に従って決定される、請求項１から４のいずれか一項に記載の方法。
【請求項６】
信号を受信する方法であって、
基地局により、第１のインデックス集合中のプリコーディング行列インデックスを決定するステップであり、前記プリコーディング行列インデックスは端末デバイスからのアップリンクデータの送信のためのプリコーディング行列を示し、前記第１のインデックス集合中の各インデックスは第１のプリコーディング行列集合中のプリコーディング行列に対応し、前記第１のプリコーディング行列集合は第２のプリコーディング行列集合の部分集合であり、前記第１のインデックス集合中の任意のプリコーディング行列インデックス値は前記第１のプリコーディング行列集合に含まれるプリコーディング行列の数以下である、ステップと、
前記基地局により、ダウンリンク制御情報（ＤＣＩ）を前記端末デバイスに送信するステップであり、前記ＤＣＩは前記プリコーディング行列インデックスを含む、ステップと、
前記基地局により、端末デバイスからの前記アップリンクデータを受信するステップと、
を含み、
基地局により、第１のインデックス集合中のプリコーディング行列インデックスを決定する前記ステップの前に、前記方法はさらに、
前記基地局により、前記第１のプリコーディング行列集合の情報を構成するステップであり、前記第１のプリコーディング行列集合の前記情報は前記第１のプリコーディング行列集合を示す、ステップと、
前記基地局により、前記第１のプリコーディング行列集合の前記情報を前記端末デバイスに送信する、ステップと
を含む、
方法。
【請求項７】
前記第１のプリコーディング行列集合は、前記第２のプリコーディング行列集合の適切な部分集合である、請求項６に記載の方法。
【請求項８】
前記第２のプリコーディング行列集合は、全体集合である、請求項６または７に記載の方法。
【請求項９】
前記第１のプリコーディング行列集合の情報は、前記基地局により送信された上位レイヤシグナリングに含まれる、請求項８に記載の方法。
【請求項１０】
前記第１のプリコーディング行列集合は、前記端末デバイスの送信アンテナポートのコヒーレント情報に従って決定される、請求項６から９のいずれか一項に記載の方法。
【請求項１１】
信号を送信する装置であって、
ダウンリンク制御情報（ＤＣＩ）を基地局から受信するように構成された受信部であり、前記ＤＣＩはプリコーディング行列インデックスを含み、前記プリコーディング行列インデックスは第１のインデックス集合に属し、前記プリコーディング行列インデックスはアップリンクデータの送信のためのプリコーディング行列を決定するために使用され、前記第１のインデックス集合中の各インデックスは第１のプリコーディング行列集合中のプリコーディング行列に対応し、前記第１のプリコーディング行列集合は第２のプリコーディング行列集合の部分集合であり、前記第１のインデックス集合中の任意のプリコーディング行列インデックス値は前記第１のプリコーディング行列集合に含まれるプリコーディング行列の数以下である、受信部と、
前記アップリンクデータを前記プリコーディング行列インデックスに従って送信するように構成された送信部と
を備え、
前記受信部は、前記第１のプリコーディング行列集合の情報を前記基地局から受信するように構成され、前記第１のプリコーディング行列集合の前記情報は前記第１のプリコーディング行列集合を示す、
装置。
【請求項１２】
前記第１のプリコーディング行列集合は、前記第２のプリコーディング行列集合の適切な部分集合である、請求項１１に記載の装置。
【請求項１３】
前記第２のプリコーディング行列集合は、全体集合である、請求項１１または１２に記載の装置。
【請求項１４】
前記第１のプリコーディング行列集合の情報は、前記基地局により送信された上位レイヤシグナリングに含まれる、請求項１１に記載の装置。
【請求項１５】
前記第１のプリコーディング行列集合は、前記装置の送信アンテナポートのコヒーレント情報に従って決定される、請求項１１から１４のいずれか一項に記載の装置。
【請求項１６】
信号を受信する装置であって、
第１のインデックス集合中のプリコーディング行列インデックスを決定するように構成された処理部であり、前記プリコーディング行列インデックスは端末デバイスからのアップリンクデータの送信のためのプリコーディング行列を示し、前記第１のインデックス集合中の各インデックスは第１のプリコーディング行列集合中のプリコーディング行列に対応し、前記第１のプリコーディング行列集合は第２のプリコーディング行列集合の部分集合であり、前記第１のインデックス集合中の任意のプリコーディング行列インデックス値は前記第１のプリコーディング行列集合に含まれるプリコーディング行列の数以下である、処理部と、
ダウンリンク制御情報（ＤＣＩ）を前記端末デバイスに送信するように構成された送信部であり、前記ＤＣＩは前記プリコーディング行列インデックスを含む、送信部と、
端末デバイスからの前記アップリンクデータを受信するように構成された受信部とを含み、
前記処理部はさらに、前記第１のプリコーディング行列集合の情報を構成するように構成され、前記第１のプリコーディング行列集合の前記情報は前記第１のプリコーディング行列集合を示し、
前記送信部はさらに、前記第１のプリコーディング行列集合の情報を前記端末デバイスに送信するように構成される、
装置。
【請求項１７】
前記第１のプリコーディング行列集合は、前記第２のプリコーディング行列集合の適切な部分集合である、請求項１６に記載の装置。
【請求項１８】
前記第２のプリコーディング行列集合は、全体集合である、請求項１６または１７に記載の装置。
【請求項１９】
前記第１のプリコーディング行列集合の情報は、基地局により送信された上位レイヤシグナリングに含まれる、請求項１６に記載の装置。
【請求項２０】
前記第１のプリコーディング行列集合は、前記端末デバイスの送信アンテナポートのコヒーレント情報に従って決定される、請求項１６から１９のいずれか一項に記載の装置。
【請求項２１】
命令を含むコンピュータプログラムであって、前記命令がコンピュータにより実行されるとき、前記コンピュータに請求項１から５のいずれか一項、または請求項６から１０のいずれか一項に記載の前記方法を実行させる、コンピュータプログラム。
【発明の詳細な説明】
【技術分野】
【０００１】
［関連出願の参照］
本出願は、２０１７年３月２４日に中華人民共和国国家知的財産局に提出され、「ＭＥＴＨＯＤ  ＡＮＤ  ＡＰＰＡＲＡＴＵＳ  ＦＯＲ  ＴＲＡＮＳＭＩＴＴＩＮＧ  ＲＥＦＥＲＥＮＣＥ  ＳＩＧＮＡＬ，  ＡＮＤ  ＭＥＴＨＯＤ  ＡＮＤ  ＡＰＰＡＲＡＴＵＳ  ＦＯＲ  ＲＥＣＥＩＶＩＮＧ  ＲＥＦＥＲＥＮＣＥ  ＳＩＧＮＡＬ」と題する中国特許出願番号２０１７１０１８６４９８．９に対する優先権を主張し、その全体が参照により本明細書に組み込まれるものとする。
【０００２】
本願は、通信技術の分野に関し、特に、基準信号を送信する方法および装置、ならびに基準信号を受信する方法および装置に関する。
【背景技術】
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）ロングタームエボリューション（Ｌｏｎｇ  Ｔｅｒｍ  Ｅｖｏｌｕｔｉｏｎ，ＬＴＥ）またはＬＴＥ−ａｄｖａｎｃｅｄ（ＬＴＥ−ａｄｖａｎｃｅｄ，ＬＴＥ−Ａ）システムにおいて、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ，ＯＦＤＭＡ）モードは、一般にダウンリンク多元接続モードとして使用される。システムのダウンリンクリソースは、時間領域では複数の直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）シンボルに分割され、また周波数領域ではいくつかのサブキャリアに分割される。
【０００４】
一般に、通常のアップリンクまたはダウンリンクサブフレームは２つのタイムスロット（スロット）を含み、各タイムスロットは７つのＯＦＤＭシンボルを含む。したがって、通常のアップリンクまたはダウンリンクサブフレームは、合計１４個のＯＦＤＭシンボルを含む。さらに、物理リソースブロック（ｐｈｙｓｉｃａｌ  ｒｅｓｏｕｒｃｅ  ｂｌｏｃｋ、ＰＲＢ）のサイズもシステムで定義される。ＲＢは、周波数領域では１２個のサブキャリアを含み、時間領域では半サブフレーム（１タイムスロット）の持続時間を持つ、つまり、７つのＯＦＤＭシンボル（シンボル）を含む。通常のサイクリックプレフィックス（ｃｙｃｌｉｃ  ｐｒｅｆｉｘ、ＣＰ）の長さを持つタイムスロットは７つのＯＦＤＭシンボルを含み、拡張サイクリックプレフィックスの長さを持つタイムスロットは６つのＯＦＤＭシンボルを含む。ＯＦＤＭシンボルのサブキャリアは、リソース要素（ｒｅｓｏｕｒｃｅ  ｅｌｅｍｅｎｔ、ＲＥ）と呼ばれる。したがって、１つのＲＢは、８４個または７２個のＲＥが含まれる。サブフレームでは、２つのタイムスロットでのＲＢのペアは、リソースブロックペア（ＲＢペア）と呼ばれる。アップリンクデータ送信中、タイムスロットの７つのＯＦＤＭシンボルのうち、４番目のＯＦＤＭシンボルはアップリンク復調パイロットであり、他のシンボルは、図４に示すようにデータを搬送するために使用され得る。
【０００５】
現在の３ＧＰＰプロトコルでは、４つのアップリンク送信アンテナが定義されおり、またサウンディング基準信号（ｓｏｕｎｄｉｎｇ  ｒｅｆｅｒｅｎｃｅ  ｓｉｇｎａｌ、ＳＲＳ）を同時に送信するための４つの電力増幅器（Ｐｏｗｅｒ  Ａｍｐｌｉｆｉｅｒ、ＰＡ）がサポートされているが、実際には、２つ以上のＰＡを有する端末は商業的に使用されていない。ＬＴＥでのアップリンクデータ送信と比較して、新世代の送信プロトコルでは、ＵＥ（ｕｓｅｒ  ｅｑｕｉｐｍｅｎｔ）はより多くのアップリンク送信アンテナ、例えば、６つまたは８つのアップリンク送信アンテナをサポートする。しかし、コストの制限により、ＵＥによって実際にサポートされるＰＡの数量は通常、ＵＥの送信アンテナの数量以下である。
【０００６】
さらに、ＵＥのアップリンク送信に対して異なるパネル（ｐａｎｅｌ）もサポートされている。同じパネル内の複数のアンテナ間には比較的強い相関関係があるが、異なるパネル内のアンテナに対応するチャネル伝送機能とブロッキング確率は異なる。
【０００７】
ＵＥが複数のアンテナを有し、アンテナが異なるパネルに配置されている場合、アンテナポートグループ間の動的な切り替えは、従来技術における異なる送信要件に従って実施することができず、さらに、チャネル品質測定はシステム全体の帯域幅内で迅速かつ効果的に実行できない。例えば、時分割複信（（ｔｉｍｅ  ｄｉｖｉｓｉｏｎ  ｄｕｐｌｅｘ、ＴＤＤ）システムでは、ＵＥはアップリンクまたはダウンリンクチャネルの品質情報が取得されるようにＳＲＳを基地局に送信する。ＵＥが送信アンテナはＰ（Ｐ≧１）本持っているが、ＰＡはＱ（Ｑ＜Ｐ）個しか持っていない場合、ＵＥはＱ個のアンテナポートグループ間の交互切り替えに基づくＰ本のアンテナによるＳＲＳ送信をサポートしないため、基地局は、ＵＥのすべての送信アンテナと基地局の受信アンテナとの間のチャネルおよびＵＥのすべての受信アンテナと基地局の送信アンテナとの間のチャネルの品質情報を迅速かつ効果的に取得できない。したがって、比較的大きな性能低下がある。
【発明の概要】
【０００８】
本願は、ＵＥが可能な限り迅速にすべてのアンテナ上のシステム帯域幅全体を横断し、アップリンク基準信号送信の精度が向上されるように、基準信号を送信する方法および装置、ならびに基準信号を受信する方法および装置を提供する。
【０００９】
本発明の第１の態様によれば、本願は、基準信号を送信する方法を提供する。本方法は、第２のネットワークデバイスにより、基準信号ポートの第１のグループ情報を第１のネットワークデバイスから受信するステップであり、第１のグループ情報はＮ個のグループの基準信号ポートに関する情報を含み、Ｎは正の整数であり、Ｎ≧１である、ステップと、第２のネットワークデバイスにより、Ｎ個のグループの基準信号ポート中のｋ番目のグループの基準信号アンテナポートを決定するステップであり、ｋは正の整数であり、Ｎ≧１である、ステップと、第２のネットワークデバイスにより、基準信号をｋ番目のグループの基準信号アンテナポートに送信するステップとを含む。
【００１０】
この態様により提供される方法では、第２のネットワークデバイスは、第１のネットワークデバイスから受信した基準信号ポートのグループ情報に応じたＮ個のグループの基準信号ポートにおいて、基準信号を送信するためのｋ番目のグループのアンテナポートを決定し、次に、ｋ番目のグループのアンテナポートを使用して基準信号を送信する。このようにして、第２のネットワークデバイスの基準信号アンテナポート間の迅速な切り替えが実施され、基準信号が切り替え後のポートを使用して送信される。切り替え後の基準信号ポートについては、異なるアンテナパネル構造に対応するチャネル伝送機能とブロッキング確率、および現在の伝送方式の伝送要件が考慮される。したがって、効果的な適応アップリンクデータ送信を実行でき、送信された参照信号は測定対象の帯域幅全体を可能な限り迅速に横断でき、チャネル測定の精度とアップリンクデータ送信の効率が向上される。
【００１１】
第１の態様を参照して、実装において、第２のネットワークデバイスにより、Ｎ個のグループの基準信号ポートのうちのｋ番目のグループの基準信号アンテナポートをＮ個のグループの基準信号ポートの情報に従って決定するステップは、第２のネットワークデバイスにより、ｋ番目のグループの基準信号アンテナポートを基準信号を送信する機会、基準信号ポートのグループ数Ｎ、および基準信号が送信される回数Ｋのうちの少なくとも１つに従って決定する、ステップを含む。
【００１２】
第１の態様を参照して、実装において、ｋ番目のグループの基準信号アンテナポートを決定するステップは、以下の関係に従って
【００１３】
【数１】
0006967604.tif 000002
【００１４】
基準信号に対してアンテナポートグループ番号ｋを決定するステップを含み、
ここで、
【００１５】
【数２】
0006967604.tif 000003
【００１６】
であり、
ｎは基準信号を送信する機会を表し、ｋ（ｎ）はタイムｎに基準信号に対して決定されたアンテナポートグループ番号ｋを表し、Ｋは基準信号が送信される回数を表し、Ｋ≧１である。
【００１７】
第１の態様を参照して、実装において、第２のネットワークデバイスにより、基準信号ポートの第１のグループ情報を第１のネットワークデバイスから受信するステップの前に、本方法はさらに、第２のネットワークデバイスによって、第２のグループ情報を第１のネットワークデバイスにレポートするステップであり、第２のグループ情報はアンテナパネル情報、基準信号ポート情報、および第２のネットワークデバイスの基準信号ポートのグループ情報のうちの少なくとも１つを含む。
【００１８】
この実装では、第２のネットワークデバイスは、第２のグループ情報を第１のネットワークデバイスにレポートし、第１のネットワークデバイスが基準信号ポートのグループ情報を構成するとき、第１のネットワークデバイスは送信方式、基準信号ポート数量、ポート番号などの第２のネットワークデバイスの要件に従ってグループ化を実行し、アップリンクアンテナポートと対応データ送信の適応グループを実装する。この方法では、次のことが回避される、すなわち、第２のネットワークデバイスのＰ本のアンテナはＱ個のアンテナポートグループ間の切り替えに基づく参照信号送信をサポートしないため、第１のネットワークデバイスはＵＥのすべての送信アンテナと基地局の受信アンテナ間のチャネルおよびＵＥのすべての受信アンテナと基地局の送信アンテナ間のチャネルの品質情報を取得できず、さらに、比較的大きな性能低下が起こる。
【００１９】
第１の態様を参照して、実装において、第２のネットワークデバイスによって、基準信号ポートの第１のグループ情報を第１のネットワークデバイスから受信するステップは、第２のネットワークデバイスにより、シグナリングを第１のネットワークデバイスから受信するステップであり、シグナリングは基準信号ポートの第１のグループ情報を示す、ステップを含み、シグナリングは、上位レイヤシグナリング、レイヤ１シグナリング、およびレイヤ２シグナリングのうちの少なくとも１つを含む。
【００２０】
本発明の第２の態様によれば、本願はさらに、基準信号を受信する方法であって、第１のネットワークデバイス、例えば、基地局に適用される方法を提供する。本方法は、第１のネットワークデバイスにより、基準信号ポートの第１のグループ情報を第２のネットワークデバイスに送信するステップであり、第１のグループ情報はＮ個のグループの基準信号ポートに関する情報を含み、Ｎは正の整数であり、Ｎ≧１である、ステップと、第１のネットワークデバイスにより、基準信号を第２のネットワークデバイスから受信するステップであり、基準信号はＮ個のグループの基準信号ポート中のｋ番目のグループの基準信号ポートに対応する基準信号であり、ｋは正の整数であり、Ｎ≧ｋ≧１である、ステップとを含む。
【００２１】
第２の態様を参照して、実装において、第１のネットワークデバイスにより、Ｎ個のグループの基準信号ポートのうちの決定されたｋ番目のグループの基準信号ポートに対応し、第２のネットワークデバイスにより送信された基準信号を受信するステップは、第１のネットワークデバイスにより、ｋ番目のグループの基準信号ポートに対応する基準信号を受信するステップであり、ｋ番目のグループの基準信号ポートは第２のネットワークデバイスにより、基準信号を送信する機会、基準信号ポートのグループ数Ｎ、および基準信号が送信される回数Ｋのうちの少なくとも１つに従って決定される、ステップを含む。
【００２２】
第２の態様を参照して、実装において、第１のネットワークデバイスにより、ｋ番目のグループの基準信号ポートに対応する基準信号を受信するステップは、第１の関係に従って
【００２３】
【数３】
0006967604.tif 000004
【００２４】
決定されたｋ番目のグループの基準信号ポートに対応する基準信号を受信するステップを含み、ここで、
【００２５】
【数４】
0006967604.tif 000005
【００２６】
であり、
ｎは基準信号を送信する機会を表し、ｋ（ｎ）はタイムｎに基準信号に対して決定されたアンテナポートグループ番号ｋを表し、Ｋは基準信号が送信される回数を表し、Ｋ≧１である。
【００２７】
第２の態様を参照して、実装において、第１のネットワークデバイスにより、基準信号ポートの第１のグループ情報を第２のネットワークデバイスに送信するステップの前に、本方法はさらに、第１のネットワークデバイスによって、第２のグループ情報を第２のネットワークデバイスから受信するステップであり、第２のグループ情報はアンテナパネル情報、基準信号ポート情報、および第２のネットワークデバイスの基準信号ポートグループ情報のうちの少なくとも１つを含む、ステップと、第１のネットワークデバイスにより、基準信号ポートの第１のグループ情報を第２のグループ情報に従って決定するステップとを含む。
【００２８】
第２の態様を参照して、実装において、第１のネットワークデバイスによって、基準信号ポートの第１のグループ情報を第２のネットワークデバイスに送信するステップは、第１のネットワークデバイスにより、シグナリングを使用して第１のグループ情報を第２のネットワークデバイスに送信するステップであり、シグナリングは上位レイヤシグナリング、レイヤ１シグナリング、およびレイヤ２シグナリングのうちの少なくとも１つを含む、ステップを含む法。
【００２９】
この態様によって提供される方法では、第１のネットワークデバイス基地局は、第２のネットワークデバイスＵＥの送信要件に従って対応する基準信号ポートグループ情報を構成することができる。したがって、第２のネットワークデバイスＵＥは、ポートグループ情報の指示に従ってポート間を切り替えることができ、ＵＥのアップリンク基準信号アンテナポートの柔軟な適応グループと対応データ送信が実装され、ＵＥのすべてのアンテナが帯域幅全体を迅速に横断でき、またチャネル測定の正確さと精度が向上される。
【００３０】
本発明の第３の態様によれば、本願は、信号を送信する方法を提供する。本方法は、端末デバイスにより、第１のインデックス集合中の基地局により決定されたプリコーディング行列インデックスを受信するステップであり、プリコーディング行列インデックスは端末デバイスによりデータを送信するために使用されるプリコーディング行列を決定するために使用され、第１のインデックス集合中の各インデックスは第１のプリコーディング行列集合中のプリコーディング行列に対応し、第１のプリコーディング行列集合は第２のプリコーディング行列集合の適切な部分集合であり、第１のインデックス集合中の任意のプリコーディング行列インデックス値は第１のプリコーディング行列集合に含まれるプリコーディング行列の数以下である、ステップと、端末デバイスにより、データをプリコーディング行列インデックスに従って送信するステップとを含む。
【００３１】
第３の態様を参照して、実装において、端末デバイスにより、第１のインデックス集合中の基地局により決定されたプリコーディング行列インデックスを受信するステップの前に、本方法はさらに、端末デバイスにより、第１のプリコーディング行列集合の情報を基地局から受信するステップであり、第１のプリコーディング行列集合の情報は第２のプリコーディング行列集合の部分集合を示す、ステップを含む。
【００３２】
第３の態様を参照して、実装において、端末デバイスにより、第１のインデックス集合中の基地局により決定されたプリコーディング行列インデックスを受信するステップの前に、本方法はさらに、端末デバイスにより、第１のプリコーディング行列集合の情報を基地局に送信するステップであり、第１のプリコーディング行列集合の情報は第２のプリコーディング行列集合の部分集合を示す、ステップを含む。
【００３３】
第３の態様を参照して、実装において、端末デバイスにより、第１のプリコーディング行列集合の情報および／またはプリコーディング行列インデックスを受信するステップは、端末デバイスにより、基地局からシグナリングを受信するステップであり、シグナリングは第１のプリコーディング行列集合の情報およびプリコーディング行列インデックスのうちの少なくとも１つを搬送し、シグナリングは上位レイヤシグナリング、レイヤ１シグナリング、およびレイヤ２シグナリングのうちの少なくとも１つを含む、ステップを含む。
【００３４】
この態様によって提供される方法では、基地局は、構成されたプリコーディング行列インデックスを端末装置ＵＥに送信し、ＵＥは、プリコーディング行列インデックスに従って、ＵＥがデータを送信するときに使用されるプリコーディング行列を決定できるようにする。行列インデックスは、第１のプリコーディング行列集合から選択され、第１のプリコーディング行列集合は、第２のプリコーディング行列集合の適切な部分集合であるため、ＵＥは迅速に指示されてプリコーディング行列を使用してデータを送信することができる。さらに、インデックスの値はＵＥの第２のプリコーディング行列集合の部分集合内で制限されるため、必要なＤＣＩ指示シグナリングオーバーヘッドが削減される。
【００３５】
さらに、ＵＥは、第１のプリコーディング行列集合の情報を基地局にリポートし、その結果、基地局は、ＵＥによって推奨されるプリコーディング行列集合に従ってＵＥに対する適切なプリコーディング行列インデックスを選択できる。したがって、プリコーディング行列インデックスに対応するプリコーディング行列は、ＵＥの複数の可能なアンテナパネル構造に適応でき、異なるアンテナパネルパターンでの最適なプリコーディング行列構成が実施され、データ送信の性能が向上される。オプションで、ＵＥは、適応送信要件、例えば、異なる送信方式、およびＵＥのポートの数量およびポート番号に従って、第１のプリコーディング行列集合の情報を基地局に推奨することができる。
【００３６】
本発明の第４の態様によれば、本願の実施形態はさらに、信号を受信する方法を提供する。本方法は、基地局により、第１のインデックス集合中のプリコーディング行列インデックスを決定するステップであり、プリコーディング行列インデックスは端末デバイスによりデータを送信するために使用されるプリコーディング行列を決定するために使用され、第１のインデックス集合中の各インデックスは第１のプリコーディング行列集合中のプリコーディング行列に対応し、第１のプリコーディング行列集合は第２のプリコーディング行列集合の適切な部分集合であり、第１のインデックス集合中の任意のプリコーディング行列インデックス値は第１のプリコーディング行列集合に含まれるプリコーディング行列の数以下である、ステップと、基地局により、プリコーディング行列インデックスを端末デバイスに送信するステップと、基地局により、端末デバイスにより送信されたデータをプリコーディング行列インデックスに従って受信するステップとを含む。
【００３７】
第４の態様を参照して、実装において、基地局により、第１のインデックス集合中のプリコーディング行列インデックスを決定するステップの前に、本方法はさらに、基地局により、第１のプリコーディング行列集合の情報を構成するステップであり、第１のプリコーディング行列集合の情報は第２のプリコーディング行列集合の部分集合を示す、ステップと、基地局により、第１のプリコーディング行列集合の情報を端末デバイスに送信する、ステップとを含む。
【００３８】
第４の態様を参照して、実装において、基地局により、第１のインデックス集合中のプリコーディング行列インデックスを決定するステップは、基地局により、端末デバイスにより送信された第１のプリコーディング行列集合の情報を受信するステップと、基地局により、第２のプリコーディング行列集合の部分集合を第１のプリコーディング行列集合の情報に従って決定するステップと、基地局により、プリコーディング行列インデックスを第２のプリコーディング行列集合の部分集合に従って決定するステップとを含む。
【００３９】
第４の態様を参照して、実装において、基地局により、第１のプリコーディング行列集合の情報および／またはプリコーディング行列インデックスを端末デバイスに送信するステップは、基地局により、シグナリングを送信するステップであり、シグナリングは第１のプリコーディング行列集合の情報およびプリコーディング行列インデックスのうちの少なくとも１つを搬送し、シグナリングは上位レイヤシグナリング、レイヤ１シグナリング、およびレイヤ２シグナリングのうちの少なくとも１つを含む、ステップを含む。
【００４０】
第５の態様によれば、本願は、基準信号を送信するための装置を提供する。本装置は、第２のネットワークデバイス、例えば端末デバイスに配置されてもよい。本装置は、第１の態様および第１の態様の各実装におけるステップを実行するように構成されたユニットを含む。
【００４１】
第６の態様によれば、本願は、基準信号を受信するための装置を提供する。本装置は、第１のネットワークデバイス、例えば基地局に配置されてもよい。本装置は、第２の態様および第２の態様の各実装におけるステップを実行するように構成されたユニットを含む。
【００４２】
第７の態様によれば、本願は、信号を送信するための装置を提供する。本装置は、第２のネットワークデバイス、例えば端末デバイスに配置されてもよい。本装置は、第３の態様および第３の態様の各実装におけるステップを実行するように構成されたユニットを含む。
【００４３】
第８の態様によれば、本願は、信号を受信するための装置を提供する。本装置は、第１のネットワークデバイス、例えば基地局に配置されてもよい。本装置は、第４の態様および第４の態様の各実装におけるステップを実行するように構成されたユニットを含む。
【００４４】
第９の態様によれば、本願はシステムを提供する。本システムは、第１のネットワークデバイスと第２のネットワークデバイスを含む。第１のネットワークデバイスは、基地局であり得る。第２のネットワークデバイスは、端末デバイス、例えば、ＵＥであってもよい。具体的には、第１のネットワークデバイスは、トランシーバ、プロセッサ、およびメモリを含む。第１のネットワークデバイスは、第２の態様および第２の態様の各実装において基準信号を送信する方法を実施するように構成され、第４の態様および第４の態様の各実装において信号を受信する方法を実施するように構成される。第２のネットワークデバイスは、トランシーバ、プロセッサ、およびメモリを含む。第２のネットワークデバイスは、第１の態様および第１の態様の各実装において基準信号を受信する方法を実施するように構成され、第３の態様および第３の態様の各実装において信号を受信する方法を実装するように構成される。
【００４５】
第１０の態様によれば、本願は、コンピュータ記憶媒体をさらに提供する。コンピュータ記憶媒体はプログラムを格納してもよい。プログラムが実行されるとき、本願による、基準信号を送信する方法および基準信号を受信する方法、ならびに信号を受信する方法および信号を送信する方法の実施形態に含まれる一部のまたはすべてのステップは実施され得る。
【図面の簡単な説明】
【００４６】
本願における技術的解決策をより明確に説明するために、以下、実施形態を説明するために必要な添付図面を簡単に説明する。明らかに、当業者は創造的な努力なしにこれらの添付図面から他の図面をなお導出し得る。
【００４７】
【図１】図１は、本願の実施形態によるＰＵＳＣＨ用のアップリンクサブフレームの概略構造図である。
【図２】図２は、本願の実施形態による基準信号を送信する方法のフローチャートである。
【図３】図３は、本願の実施形態による基準信号ポートのグループ情報の指示の概略図である。
【図４】図４は、本願の実施形態による基準信号ポートのグループ情報の別の指示の概略図である。
【図５】図５は、本願の実施形態による基準信号が送信される回数Ｋを決定するための概略図である。
【図６】図６は、本願の実施形態による基準信号を送信する装置の概略構造図である。
【図７】図７は、本願の実施形態による基準信号を受信する装置の概略構造図である。
【図８】図８は、本願の実施形態による異なるアンテナパネルパターンの概略構造図である。
【図９】図９は、本願の実施形態による信号を送信する方法の概略フローチャートである。
【図１０】図１０は、本願の実施形態による異なるコードワード構造に対応するアンテナパネルパターンの概略図である。
【図１１】図１１は、本願の実施形態による信号を送信する装置の概略構造図である。
【図１２】図１２は、本願の実施形態による信号を受信する装置の概略構造図である。
【図１３】図１３は、本願の実施形態による基準信号送信システムの概略構造図である。
【発明を実施するための形態】
【００４８】
以下、本願の実施形態における技術的解決策について、本願の実施形態における添付図面を参照して説明する。
【００４９】
本願の実施形態は、送信デバイスとして使用される少なくとも１つの第１のネットワークデバイスと、受信デバイスとして使用される少なくとも１つの第２のネットワークデバイスとを含む通信システムに適用される。送信デバイスおよび受信デバイスは、無線モードでデータ送信を実行する任意の送信先デバイスおよび受信先デバイスであってもよい。送信デバイスおよび受信デバイスは、それに限定されるわけではないが、基地局（ＮｏｄｅＢ）、進化型ＮｏｄｅＢ（ｅＮｏｄｅＢ）、第５世代（ｔｈｅ  ｆｉｆｔｈ  ｇｅｎｅｒａｔｉｏｎ、５Ｇ）通信システムにおける基地局、将来の通信システムにおける基地局またはネットワークデバイス、Ｗｉ−Ｆｉシステムでのアクセスポイント、無線中継ノード、無線バックホールノード、ユーザ機器（ｕｓｅｒ  ｅｑｕｉｐｍｅｎｔ、ＵＥ）などを含む無線送信および受信機能を有する任意のデバイスであってもよい。
【００５０】
ＵＥは、端末、移動局（ｍｏｂｉｌｅ  ｓｔａｔｉｏｎ、ＭＳ）、移動端末（ｍｏｂｉｌｅ  ｔｅｒｍｉｎａｌ、ＭＴ）、遠隔デバイス（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザーエージェント（ｕｓｅｒ  ａｇｅｎｔ、ＵＡ）などとも呼ばれ得る。ＵＥは、無線アクセスネットワーク（ｒａｄｉｏ  ａｃｃｅｓｓ  ｎｅｔｗｏｒｋ、ＲＡＮ）を介して１つまたは複数のコアネットワークと通信するか、自己組織化モードまたは無許可モードで分散ネットワークにアクセスし得る。ＵＥはさらに、別のモードで無線ネットワークと通信してもよく、またはＵＥは別のＵＥと直接無線通信を実行してもよい。これは、本願のこの実施形態では限定されない。
【００５１】
本願の実施形態による基準信号またはサウンディング基準信号（Ｓｏｕｎｄｉｎｇ  Ｒｅｆｅｒｅｎｃｅ  Ｓｉｇｎａｌ、ＳＲＳ）を送信する方法は、ダウンリンクデータ送信に適用可能であっても、アップリンクデータ送信に適用可能であってもよい。ダウンリンクデータ送信の場合、送信デバイスは基地局であり、対応する受信デバイスはＵＥである。アップリンクデータ送信の場合、送信デバイスはＵＥであり、対応する受信デバイスは基地局である。Ｄ２Ｄデータ送信の場合、送信デバイスはＵＥであり、対応する受信デバイスもＵＥである。これは、本願のこの実施形態では限定されない。
【００５２】
本願の実施形態によって提供されるＳＲＳポートグループスイッチング方法は、様々な通信システム、例えば、ＬＴＥシステム、ならびにＷＣＤＭＡ、４Ｇ、４．５Ｇ、および５Ｇシステムに適用され得る。アプリケーションのシナリオは、このアプリケーションに限定されない。
【００５３】
本願の実施形態は、適応アンテナグループ化およびグループ化に基づく動的アンテナ切り替えのための方法を提供する。異なるパネルに対応するチャネル送信機能とブロッキング確率は異なるが、異なる送信方式には異なる基準信号送信および測定要件がある、例えば、送信ダイバーシティの送信方式には高信頼性が要求されることを考慮し、異なるパネルにある複数のアンテナは可能であれば、ＳＲＳポートのグループ化中に１つのグループにグループ化され、これにより、アップリンク信号送信のランダムブロッキングによって引き起こされるユーザのアップリンク信号送信の中断を克服し得る。閉ループ伝送モードの場合、より高いチャネル品質測定精度が必要である。ＳＲＳポートのグループ化中に、同じパネル内の複数のアンテナを可能であれば１つのグループにグループ化して、同一パネル内の複数のアンテナに対して正確なチャネル品質測定を実施でき得る。特に、例えば、２つの偏波方向間の位相回転情報の追跡など、迅速に変化する一部のチャネル品質情報を追跡する場合、同一アンテナパネルにある複数のアンテナに基づいて測定を行う場合にのみ、測定結果をより迅速かつ正確に取得できる。
【００５４】
具体的には、アップリンク基準信号送信を例として使用すると、この実施形態では、第１のネットワークデバイスと第２のネットワークデバイスが含まれる。第１のネットワークデバイスは基地局であり、第２のネットワークデバイスはＵＥである。基準信号を送信する方法は、以下のステップを含む。
【００５５】
図２を参照すると、図２は、基準信号を送信する方法の概略フローチャートである。
【００５６】
ステップ２０１：基地局は、基準信号ポートの第１のグループ情報をＵＥに送信し、第１のグループ情報はＮ個のグループの基準信号ポートに関する情報を含み、Ｎは正の整数であり、Ｎ≧１である。すなわち、ＵＥは、基地局から基準信号ポートの第１のグループ情報を受信する。
【００５７】
Ｎは、ＵＥに含まれるポートグループの数量を表す。Ｎが１に等しい場合、第１のグループ情報が１つのグループの基準信号ポートに関する情報を含むことを示す。Ｎが１より大きい場合、第１のグループ情報が２つ以上のグループの基準信号ポートのグループ情報を含むことを示す。
【００５８】
各グループの基準信号ポートの情報は、ポートグループに対応する基準信号ポートの数量および基準信号ポート番号のうちの少なくとも１つ、または他の情報を含む。各グループの基準信号ポートに含まれる基準信号ポートの数量は１以上であり、異なるポートグループに含まれる基準信号ポートの数量は同じでも異なっていてもよい。例えば、ＵＥのすべての基準信号ポートは、３つのグループ、すなわち、第１のグループ、第２のグループ、および第３のグループにグループ化される。各グループは、少なくとも１つのアンテナポートを含む。例えば、第１のグループは２つの基準信号ポート番号を、第２のグループと第３のグループは３つの基準信号ポート番号をそれぞれ含む。このとき基地局により構成される基準信号ポートグループ情報では、第２のグループと第３のグループのポート数量は同じである。オプションで、次回のグループ作成時に、２つのグループに含まれるすべてのポート番号が異なってもよい。これは本願では限定されない。
【００５９】
ＵＥが基地局から基準信号ポートの第１のグループ情報を受信することは、具体的には以下を含む。ＵＥが基地局からシグナリングを受信し、シグナリングは基準信号ポートの第１のグループ情報を示す。さらに、シグナリングは、上位レイヤシグナリング、レイヤ１シグナリング、およびレイヤ２シグナリングのうちの少なくとも１つを含む。上位レイヤシグナリングは、無線リソース制御（Ｒａｄｉｏ  Ｒｅｓｏｕｒｃｅ  Ｃｏｎｔｒｏｌ、ＲＲＣ）シグナリングまたは無線リンク制御（Ｒａｄｉｏ  Ｌｉｎｋ  Ｃｏｎｔｒｏｌ、ＲＬＣ）シグナリングである。レイヤ１シグナリングは、物理レイヤシグナリング（ダウンリンク制御情報ＤＣＩなど）であってもよい。レイヤ２シグナリングは、ＭＡＣ  ＣＥシグナリングなどであってもよい。具体的には、基準信号ポートグループ情報を送信するために基地局によって前述のシグナリングのうちのどのシグナリングが使用されるかは、要件およびアプリケーションシナリオに従って決定されてもよく、この実施形態では限定されない。
【００６０】
ステップ２０２：ＵＥがＮ個のグループの基準信号ポート中のｋ番目のグループの基準信号アンテナポートを決定し、ｋは正の整数であり、Ｎ≧ｋ≧１である。
【００６１】
ステップ２０３：ＵＥが基準信号をｋ番目のグループの基準信号アンテナポートに送信する。
【００６２】
Ｎが１の場合、ＵＥは第１のグループの基準信号アンテナポートを決定し、第１のグループの基準信号アンテナポートを使用して基準信号を基地局に送信する。この場合、ｋはＮに等しく、ＵＥは基地局によって構成されたグループの基準信号ポートを使用して基準信号を送信する。Ｎが１より大きい場合、ＵＥは、Ｎ個のグループの基準信号ポートから、基準信号を送信するためのアンテナポートグループ番号ｋ、およびＮ≧ｋ＞１を選択し、またＵＥは、ｋ番目のグループのアンテナポートを使用して基準信号を基地局に送信する。
【００６３】
同様に、基地局は、ＵＥから基準信号を受信し、基準信号は、Ｎ個のグループの基準信号ポートのうちのｋ番目のグループの基準信号ポートに対応する基準信号である。対応する基準信号は、ｋ番目のグループの基準信号アンテナポートを使用してＵＥによって送信される基準信号である。
【００６４】
さらに、ＵＥによって決定されたｋ番目のグループのアンテナポートが、タイムｎ現在ＵＥが基準信号を送信しているポートと異なる場合、ＵＥはまずｋ番目のグループの基準信号アンテナポートを決定して切り替え、次に基準信号を送信する。
【００６５】
オプションで、ステップ２０２においてＵＥがＮ個のグループの基準信号ポートの情報に従ってＮ個のグループの基準信号ポートのうちのｋ番目のグループの基準信号アンテナポートを決定するステップは、ＵＥが、あるいは基準信号を送信するためのタイムｎ、基準信号ポートのグループ数Ｎ、および基準信号が送信される回数Ｋのうちのなくとも１つに従ってｋ番目のグループの基準信号アンテナポートを決定することを含む。
【００６６】
具体的には、ＵＥが、基準信号を送信する機会、基準信号ポートのグループ数Ｎ、および基準信号が送信される回数Ｋに従ってｋ番目のグループの基準信号アンテナポートを決定することは、以下のことを含む。
【００６７】
異なるシナリオおよび要件に従って、ＵＥによりアップリンク信号を送信するためのアンテナポートを選択または切り替える機能は、「有効」または「無効」の２つの状態に適応的に設定され得る。
【００６８】
ＵＥのアンテナポートを選択する機能が有効状態にあるとき、ユーザは、アップリンク信号を送信するためのアンテナポートを選択してもよく、一度に基準信号を送信するためのポート番号は、周波数ホッピング（ｈｏｐｐｉｎｇ）での基準信号送信が許可されるかどうかに従って選択してもよい。
【００６９】
具体的には、以下の関係に従って
【００７０】
【数５】
0006967604.tif 000006
【００７１】
決定されたｋ番目のグループの基準信号ポートに対応する基準信号が受信されてもよく、
ここで、
【００７２】
【数６】
0006967604.tif 000007
【００７３】
であり、
ｎは基準信号を送信する機会を表し、ｋ（ｎ）はタイムｎに基準信号に対して決定されたアンテナポートグループ番号ｋを表し、Ｋは基準信号が送信される回数を表し、Ｋ≧１であり、ｍｏｄはモジュロ演算を表す。
【００７４】
以下、ＵＥがタイムｎに基準信号を送信するためのアンテナポートグループ番号ｋを決定する２つの方法を提供する。
【００７５】
タイムｎにアップリンク信号を送信するためのアンテナポートグループ番号ｋを決定する方法は、ＵＥが周波数ホッピング状態にあり、Ｎが２に等しいとき、すなわち、ＵＥが２つのグループのポートを使用して基準信号を送信する場合、次の第１の関係に従って、
【００７６】
【数７】
0006967604.tif 000008
【００７７】
基準信号に対するアンテナポートグループ番号ｋが決定され、
ここで、
【００７８】
【数８】
0006967604.tif 000009
【００７９】
であり、
ｎは基準信号を送信する機会を表し、ｋ（ｎ）はタイムｎに基準信号に対して決定されたアンテナポートグループ番号ｋを表し、Ｋは基準信号が送信される回数を表す。具体的には、本願では、Ｋは基準信号が送信される回数であり、ＵＥがチャネル測定プロセスで測定される全帯域幅を横断するのに要する回数を表す。Ｋは１以上の正の整数である。
【００８０】
オプションで、基準信号を送信する機会は、サブフレーム、タイムスロット、最小タイムスロット、およびＯＦＤＭシンボルのいずれか１つであってもよく、すなわち、タイムｎはサブフレームｎ、またはタイムスロットｎ、または最小タイムスロットｎ、またはＯＦＤＭシンボルｎであってもよい。さらに、タイムは、上記で定義されたもの以外の任意の時間単位であってもよい。これは本願では限定されない。
【００８１】
例えば、ｎがサブフレームを表す場合、ｋ（ｎ）は、基準信号がサブフレームｎで送信されるときの対応する送信アンテナポート番号を表し得る。ＵＥは、チャネル測定プロセスにおいて異なる基準信号送信アンテナポートを使用して基準信号をＫ回送信し、さらに測定対象の帯域幅全体をさらに横断できる。これにより、チャネル品質測定の精度がさらに向上する。
【００８２】
ｋを決定する別の方法は、以下を含む。同様に、ＵＥのアンテナポートを選択する機能が有効状態にあるとき、ユーザはアンテナポートグループを選択する。タイムｎに基準信号を送信するためのアンテナポートグループのインデックスは、ｋ（ｎ）で表され得る。さらに、ＵＥの周波数ホッピング状態が有効になっていると仮定すると、ＵＥのすべての基準信号送信アンテナポートが４つのグループ（Ｎ＝４）にグループ化されている場合、基準信号が４つのグループのアンテナポートを使用して送信されるとき、次の第２の関係に従って、
【００８３】
【数９】
0006967604.tif 000010
【００８４】
基準信号に対するアンテナポートグループ番号ｋが決定され得、
ここで、
【００８５】
【数１０】
0006967604.tif 000011
【００８６】
であり、
ｎは基準信号を送信する機会を表し、ｋ（ｎ）はタイムｎに基準信号に対して決定されたアンテナポートグループ番号ｋを表し、Ｋは基準信号が送信される回数を表す。具体的には、本願では、Ｋは基準信号が送信される回数であり、ＵＥがチャネル測定プロセスで測定される全帯域幅を横断するのに要する回数を表す。Ｋは１以上の正の整数である。
【００８７】
本願において、ＵＥがタイムｎに基準信号を送信するためのアンテナポートグループ番号ｋを決定するために、他の関係または事前定義された方法も使用し得ることに留意されたい。これは、この実施形態では限定されない。
【００８８】
オプションで、前述のステップ２０１において、ＵＥが基地局によって送信される基準信号の第１のグループ情報を受信する前に、本方法はさらに、ＵＥが第２のグループ情報を基地局にレポートし、それにより基地局が第２のグループ情報に従って第１のグループ情報を決定できることを含む。第２のグループ情報は、ＵＥのアンテナパネル情報、基準信号ポート情報、および基準信号ポートグループ情報のうちの少なくとも１つを含む。
【００８９】
アンテナパネル情報は、ＵＥのすべてのアンテナの分散構造およびパネルパターン（ｐａｎｅｌ  ｐａｔｔｅｒｎ）、または他の情報のうちの少なくとも１つを含む。本願において、パネルパターン情報は、パネルの数量およびＰ（Ｐ≧１）枚のパネルの分散パターンのうちの少なくとも１つ、または他の情報をさらに含む。パネルの分散パターン情報は、基地局およびユーザ側で事前に定義された複数のパネル分散パターンであってもよい。例えば、図８は、４つのアンテナパネルパターンの概略構造図であり、２つの偏波方向における一対の基準信号アンテナポートを表し、異なる基準信号アンテナポートが端末デバイスの異なる位置に分散され、異なるアンテナポートパネルパターンが生成される。
【００９０】
基準信号ポート情報は、ＵＥの基準信号ポートの数量、各基準信号ポートのポート番号、および他の情報を含む。基準信号ポートグループ情報は、すべての基準信号アンテナポートのグループの後に生成され、ＵＥによって推奨されるグループ情報を含む。例えば、すべてのアンテナポートは、番号付けでの奇数番号と偶数番号に従って、グループ情報を生成するために２つのグループにグループ化される。あるいは、すべてのアンテナポートは、Ｐ枚のアンテナパネルに従ってＰ個のグループにグループ化され、パネルにあるアンテナポートはあるグループに属する。
【００９１】
オプションで、第２のグループ情報中の基準信号ポートグループ情報は、ステップ２０１で基地局によって送信される基準信号ポートの第１のグループ情報と同じでも異なっていてもよい。基地局がＵＥの第２のグループ情報を受信した後で、基地局は、ＵＥに対し基地局によって設定されたアップリンク送信方式に従って、第２のグループ情報と同じアンテナポートグループ情報を使用するかどうかを決定し得る。
【００９２】
加えて、ＵＥによって基地局にリポートされる第２のグループ情報は、ＵＥの送信方式情報または測定を通してＵＥにより以前に取得されたチャネル品質結果をさらに含んでもよく、チャネル品質結果はＣＱＩなどのアップリンクチャネル品質測定情報を含む。基地局は、例えば、アップリンク送信ダイバーシティ、開ループ送信モード、および閉ループ送信モードなど、ＵＥが必要とする異なる送信方式に従って、基準信号ポートのグループ情報の受信を実行し、その送信方式に従って、ＵＥに配信される基準信号ポートグループ情報を決定する。
【００９３】
この実施形態によって提供される方法においては、ユーザ機器ＵＥは、基地局から受信した基準信号ポートのグループ情報に従って、Ｎ個のグループの基準信号ポートにおいて、基準信号を送信するためのｋ番目のグループのアンテナポートを決定し、次に、ｋ番目のグループのアンテナポートを使用して基準信号を送信する。このようにして、ＵＥの基準信号アンテナポート間の迅速な切り替えが実施され、基準信号は切り替え後のポートを使用して送信される。切り替え後の基準信号ポートについては、異なるアンテナパネル構造に対応するチャネル伝送機能とブロッキング確率、および現在の伝送方式の伝送要件が考慮される。したがって、効果的な適応アップリンクデータ送信が実行されることが可能であり、送信された基準信号は測定対象の帯域幅全体を可能な限り迅速に横断でき、チャネル測定の精度とアップリンクデータ送信の効率が向上される。
【００９４】
特定の実施形態では、基地局は、ＵＥによってレポートされた第２のグループ情報を受信し、第２のグループ情報は、ＵＥがアップリンク信号を送信するときに使用されるポートの数量およびポート番号を含む。例えば、ＵＥは合計８つのアンテナポートを有し、８つのアンテナポートにはそれぞれ０から７の番号が付けられる。ＵＥからレポートされた第２のグループ情報を受信した後、基地局はＵＥのポートの数量とポート番号および現在の送信方式に従って８つのポートをグループ化し、第１のグループ情報を生成し、第１のグループ情報をＵＥに配信する。ＵＥは、第１のグループ情報を受信し、第１のグループ情報の指示に従って、基準信号を送信するためのアンテナポートグループ番号ｋを決定する。
【００９５】
図３に示すように、第１のグループ情報の指示は、第１のグループ情報において、ポート番号０、１、４、および５が１つのグループにグループ化され、ポート番号２、３、６、および７が１つのグループにグループ化される。ポートグループ情報を受信した後、ＵＥは、ポートグループ情報の指示に従って、タイムｎに基準信号を送信するためのアンテナポートグループ番号ｋを決定する。さらに、基準信号ポートグループ情報の指示に従って、ＵＥは、基準信号が送信されるたびに使用されるポートグループ番号ｋを決定し、各ポートグループは少なくとも１つのアンテナポートを含む。例えば、チャネル測定プロセスにおいて、基準信号が４回送信され、次の４つの基準信号ポートグループがそれぞれ４回の送信に使用され、各基準信号ポートグループに対応するポート番号は｛０、１、４、５｝、｛２、３、６、７｝、｛２、３、６、７｝、および｛０、１、２、３｝である。
【００９６】
図４に示すように、図４は第１のグループ情報の別の指示の実装である。実装は具体的には、ＵＥが、受信した基準信号ポートグループ情報に従って基準信号を６回送信し、基準信号は２つのポートを含むポートグループに毎回送信されることを含む。さらに、ＵＥは、基準信号が６回の送信中毎回送信されるときに使用されるポート番号がそれぞれ｛０、１｝、｛１、２｝、｛２、３｝、｛３、４｝、｛４、５｝、｛５、６｝であると判定し、次に、ＵＥはグループ化されたアンテナポート番号に従って切り替えを実行し、基準信号を順次送信する。
【００９７】
基地局によってＵＥに配信されるアンテナポートグループ情報は、シグナリングを使用することによって送信され得る。さらに、シグナリングは、例えば、ＲＲＣシグナリングまたはＲＬＣシグナリングなどの上位レイヤシグナリング、もしくは例えば、ＤＣＩまたはＭＡＣ  ＣＥなどの物理レイヤシグナリングを含む。
【００９８】
さらに、上記の実施形態では、基準信号がＵＥ側で送信される回数Ｋは、基準信号が送信される回数であり、ＵＥが、測定対象の帯域幅全体を横断するのに必要な回数である。基準信号に対して周波数ホッピング機能が有効になっていると仮定した場合、しかし基準信号が送信される回数であって、ＵＥが測定対象の帯域幅全体を測定および横断するのに必要な回数は、セル固有および／またはユーザ固有の基準信号帯域幅設定パラメータに従って決定され得る。具体的には、基準信号帯域幅設定パラメータについては、以下の表１から表４を参照されたし。例えば、基準信号は、サウンディング基準信号ＳＲＳなどであってもよい。
【００９９】
【表１】
0006967604.tif 000012
【０１００】
【表２】
0006967604.tif 000013
【０１０１】
【表３】
0006967604.tif 000014
【０１０２】
【表４】
0006967604.tif 000015
【０１０３】
上記の表１から表４は、異なるアップリンク帯域幅および異なるＳＲＳ帯域幅設定の場合のｍSRSbおよびＮbの値を示し、ｍSRSbはＳＲＳが一度に送信されるときの周波数領域帯域幅を表す。ＵＥによりＳＲＳを送信するための帯域幅が測定対象の帯域幅よりも小さいたびに、ＳＲＳ周波数ホッピング（ｈｏｐｐｉｎｇ）を実行する必要がある。一般に、ＳＲＳ周波数ホッピングは、上位レイヤパラメータＳＲＳ周波数ホッピング帯域幅（ＳＲＳ  ｈｏｐｐｉｎｇ  ｂａｎｄｗｉｄｔｈ）を使用して設定し得ることが規定されており、パラメータ値の範囲は通常ｂhop∈｛０、１、２、３｝である。ｂhop<ＢSRSの場合、ＵＥはＳＲＳ周波数ホッピングを実行する必要がある、つまり、ＵＥのＳＲＳ送信帯域幅が周波数ホッピング帯域幅よりも小さい場合にのみ周波数ホッピングを実行する必要がある。すなわち、ＵＥ固有の（ｓｐｅｃｉｆｉｃ）ＳＲＳ帯域幅で示されるツリー構造ノードは、その帯域幅がツリー内の周波数ホッピング帯域幅である親ノードを有し、ＵＥは、親ノードが複数の子ノードを含む場合にのみＳＲＳ周波数ホッピングを実行する。
【０１０４】
例えば、図５を参照すると、表１では、ＣSRS＝２およびｂhop＝０と仮定すると、測定する必要がある帯域幅は３６ＰＲＢであり、ＢSRS＝２の場合、ＳＲＳを毎回送信するための帯域幅は４ＰＲＢであり、測定対象の帯域幅全体を横断するには９回の送信が必要である。表１から表３では、Ｎbはレベル１ノードの数を表す。例として表１のＣSRS＝０を使用すると、Ｎ0＝１はこのレベルに１つのノードが存在することを示し、Ｎ1＝３はこのレベルに３つのノードが存在することを示す。Ｎ2とＮ3も同じように推測でき得る。図１は、Ｎ0＝１、Ｎ1＝３、およびＮ2＝３の場合のツリー構造の図を示している。ｂhop＝０およびＢSRS＝２の場合、ｂhop＝０に対応する測定対象の帯域幅を横断するには、９回のＳＲＳ送信が必要である。
【０１０５】
本実施形態によって提供されるアンテナポートグループに基づく方法では、第１のネットワークデバイス基地局は、第２のネットワークデバイスＵＥの送信要件に従って対応する基準信号ポートグループ情報を構成することができる。したがって、ポートグループ情報の指示に従って、第２のネットワークデバイスＵＥは、アップリンク基準信号を送信するためのポートを切り替えることができ、ＵＥのアップリンク基準信号アンテナポートの柔軟な適応グループおよび対応するデータ送信が実施され、ＵＥのすべてのアンテナが帯域幅全体をすばやく横断でき、チャネル測定の精度と精度が向上する。
【０１０６】
本願の別の実施形態は、基準信号を送信する装置をさらに提供する。本装置は、前述の実施形態における基準信号を送信する方法を実施するように構成される。本装置は第２のネットワークデバイスに配置され、第２のネットワークデバイスは端末デバイスを含む。図６に示すように、基準信号を送信する装置は、受信部６０１、処理部６０２、および送信部６０３を含む。加えて、本装置は、記憶部などの他の機能ユニットまたはモジュールをさらに含み得る。
【０１０７】
受信部６０１は、基準信号ポートの第１のグループ情報を第１のネットワークデバイスから受信するように構成され、第１のグループ情報はＮ個のグループの基準信号ポートに関する情報を含み、Ｎは正の整数であり、Ｎ≧１である。
【０１０８】
処理部６０２は、Ｎ個のグループの基準信号ポート中のｋ番目のグループの基準信号アンテナポートを決定するように構成され、ｋは正の整数であり、Ｎ≧ｋ≧１である。
【０１０９】
送信部６０３は、基準信号をｋ番目のグループの基準信号アンテナポートに送信するように構成される。
【０１１０】
オプションで、処理部６０２は具体的には、ｋ番目のグループの基準信号アンテナポートを、基準信号を送信する機会、基準信号ポートのグループ数Ｎ、および基準信号が送信される回数Ｋのうちの少なくとも１つに従って決定するように構成される。
【０１１１】
オプションで、処理部６０２はさらに、以下の関係に従って
【０１１２】
【数１１】
0006967604.tif 000016
【０１１３】
基準信号に対してアンテナポートグループ番号ｋを決定するように構成され、
ここで、
【０１１４】
【数１２】
0006967604.tif 000017
【０１１５】
であり、
ｎは基準信号を送信する機会を表し、ｋ（ｎ）はタイムｎに基準信号に対して決定されたアンテナポートグループ番号ｋを表し、Ｋは基準信号が送信される回数を表し、Ｋ≧１であり、
Ｎ＝２の場合、以下の第１の関係に従って
【０１１６】
【数１３】
0006967604.tif 000018
【０１１７】
基準信号に対するアンテナポートグループ番号ｋを決定するように構成され、または
オプションで、Ｎ＝４の場合、以下の第２の関係に従って
【０１１８】
【数１４】
0006967604.tif 000019
【０１１９】
基準信号に対するアンテナポートグループ番号ｋを決定するように構成される。
【０１２０】
オプションで、送信部６０３はさらに、第２のグループ情報を第１のネットワークデバイスにレポートするように構成され、第２のグループ情報はアンテナパネル情報、基準信号ポート情報、および第２のネットワークデバイスの基準信号ポートグループ情報のうちの少なくとも１つを含む。
【０１２１】
オプションで、受信部６０１はさらに、シグナリングを第１のネットワークデバイスから受信するように構成され、シグナリングは基準信号ポートの第１のグループ情報を示し、シグナリングは上位レイヤシグナリング、レイヤ１シグナリング、およびレイヤ２シグナリングのうちの少なくとも１つを含む。
【０１２２】
加えて、この実施形態はさらに、基準信号を受信する装置を提供する。本装置は、前述の実施形態における基準信号を受信する方法を実施するように構成される。本装置は、第１のネットワークデバイス、例えば基地局に配置される。図７に示すように、基準信号を受信する装置は、受信部７０１、処理部７０２、および送信部７０３を含む。さらに、本装置は、記憶部などの他の機能ユニットまたはモジュールをさらに含み得る。
【０１２３】
送信部７０３は、基準信号ポートの第１のグループ情報を第２のネットワークデバイスに送信するように構成され、第１のグループ情報はＮ個のグループの基準信号ポートに関する情報を含み、Ｎは正の整数であり、Ｎ≧１である。
【０１２４】
受信部７０１は、基準信号を第２のネットワークデバイスから受信するように構成された受信部であり、基準信号はＮ個のグループの基準信号ポート中のｋ番目のグループの基準信号ポートに対応する基準信号であり、ｋは正の整数であり、Ｎ≧ｋ≧１である。
【０１２５】
オプションで、受信部７０１はさらに、ｋ番目のグループの基準信号ポートに対応する基準信号を受信するように構成され、ｋ番目のグループの基準信号ポートは第２のネットワークデバイスにより、基準信号を送信する機会、基準信号ポートのグループ数Ｎ、および基準信号が送信される回数Ｋのうちの少なくとも１つに従って決定される。
【０１２６】
オプションで、受信部７０１はさらに、以下の関係に従って
【０１２７】
【数１５】
0006967604.tif 000020
【０１２８】
決定されたｋ番目のグループの基準信号ポートに対応する基準信号を受信するように構成され、
ここで、
【０１２９】
【数１６】
0006967604.tif 000021
【０１３０】
であり、
ｎは基準信号を送信する機会を表し、ｋ（ｎ）はタイムｎに基準信号に対して決定されたアンテナポートグループ番号ｋを表し、Ｋは基準信号が送信される回数を表し、Ｋ≧１である。
【０１３１】
オプションで、受信部７０１はさらに、第２のグループ情報を第２のネットワークデバイスから受信するように構成され、第２のグループ情報はアンテナパネル情報、基準信号ポート情報、および第２のネットワークデバイスの基準信号ポートグループ情報のうちの少なくとも１つを含む。
【０１３２】
処理部７０２は、基準信号ポートの第１のグループ情報を第２のグループ情報に従って決定する。
【０１３３】
オプションで、送信部７０３はさらに、シグナリングを使用して第１のグループ情報を第２のネットワークデバイスに送信するように構成され、シグナリングは上位レイヤシグナリング、レイヤ１シグナリング、およびレイヤ２シグナリングのうちの少なくとも１つを含む。
【０１３４】
この実施形態では、第２のネットワーク装置は、第１のネットワーク装置から受信した基準信号ポートのグループ情報に従って、Ｎ個のグループの基準信号ポートにおいて、基準信号を送信するｋ番目のグループのアンテナポートを決定し、次に、ｋ番目のグループのアンテナポートを使用して基準信号を送信する。このようにして、第２のネットワークデバイスの基準信号アンテナポート間の迅速な切り替えが実施され、切り替え後のポートを使用して基準信号が送信される。切り替え後の基準信号ポートについては、異なるアンテナパネル構造に対応するチャネル伝送機能とブロッキング確率、および現在の伝送方式の伝送要件が考慮される。したがって、効果的な適応アップリンクデータ送信を実行でき、送信された基準信号は測定対象の帯域幅全体を可能な限り迅速に横断でき、チャネル測定の精度およびアップリンクデータ送信の効率が向上される。
【０１３５】
本願のさらに別の実施形態は、指示情報シグナリングオーバーヘッドを低減するために、基準信号を送信する方法を提供する。具体的には、ＵＥが複数の異なるアンテナパネル構造を有する場合、アンテナポートがアンテナパネルの異なる位置に異なる配置される。したがって、同じ数量の基準信号アンテナポートと同じポート番号が与えられた場合、基準信号アンテナポートは異なるパネルパターン（ｐａｎｅｌ  ｐａｔｔｅｒｎ）に配置される可能性があるため、基準信号アンテナポートは異なるコードブック構成に対応し得る。
【０１３６】
図８に示すように、ＵＥ側のアンテナポートパネルパターン２（ｐａｔｔｅｒｎ２）のポート番号１とポート番号２との間の距離は、大きなアンテナ距離（大きなアンテナ距離に適用可能なコードブック構成）であるが、パネルパターン３（ｐａｔｔｅｒｎ３）のポート番号１とポート番号２との間の距離は、小さなアンテナ距離である（小さなアンテナ距離に適用できるコードブック構成）。したがって、アンテナポートパネルパターン２とパネルパターン３に対応するコードブック構成は異なる。この実施形態により提供される方法は、アップリンク信号を送信するために、各パネルパターンのアンテナポートに最適なコードブックを構成するために使用され、アップリンクデータ送信性能が改善されることが可能である。
【０１３７】
ＵＥ側のパネルパターンのコードブック構成を最適化するために、具体的には、基地局およびＵＥ側で大きなプリコーディング行列集合、すなわちコードブックが事前定義される。ＵＥのアンテナポートの数量が同じ場合、プリコーディング行列集合またはコードブックは、すべての異なるパネルパターンのコードワードを含む。基地局は、ＵＥの送信アンテナポートのコヒーレント情報に従って、事前定義された大きなコードブックまたはプリコーディング行列集合から適切なコードブック部分集合またはプリコーディング行列部分集合を選択し、コードブック部分集合に対応するプリコーディング行列インデックスをＵＥに送信するので、ＵＥは、プリコーディング行列インデックスに従って送信アンテナポートの重み係数を決定し、対応するデータを送信する。したがって、次のことが回避される。ＵＥの一部のアンテナポートがブロックされているため、基地局は対応する送信された信号を受信できない、あるいは信号送信性能が比較的低くなる。
【０１３８】
また、図９に示すように、この実施形態によって提供される方法は、以下のステップを含む。
【０１３９】
ステップ９０１：基地局は、第１のインデックス集合中のプリコーディング行列インデックスを決定し、プリコーディング行列インデックスはＵＥがデータを送信するときにプリコーディング行列を決定するために使用され、第１のインデックス集合中の各インデックスは第１のプリコーディング行列集合中のプリコーディング行列に対応し、第１のプリコーディング行列集合は第２のプリコーディング行列集合の適切な部分集合であり、第１のインデックス集合中の任意のプリコーディング行列インデックス値は第１のプリコーディング行列集合に含まれるプリコーディング行列の数以下である。
【０１４０】
ステップ９０２：基地局は、プリコーディング行列インデックスをＵＥに送信し、ＵＥは第１のインデックス集合中の基地局により決定されたプリコーディング行列インデックスを受信する。
【０１４１】
オプションで、ＵＥは、基地局によって送信されたシグナリングを受信し、シグナリングはプリコーディング行列インデックスを搬送し、シグナリングは上位レイヤシグナリング（例えば、ＲＲＣシグナリングまたはＲＬＣシグナリング）、レイヤ１シグナリング（例えば、物理レイヤシグナリングもしくはＤＣＩ）、またはレイヤ２シグナリング（例えば、ＭＡＣ  ＣＥシグナリング）のうちの１つを含む。実装は次の通りである、すなわち、基地局がＤＣＩ指示シグナリングを使用してプリコーディング行列インデックスをＵＥに送信する。
【０１４２】
ステップ９０３：ＵＥは、プリコーディング行列インデックスに従ってデータを送信する。例えば、アップリンクサービスデータチャネル、またはアップリンク制御チャネル、またはＳＲＳなどのアップリンク基準信号が送信される。
【０１４３】
ＵＥが、基地局によって送信されたプリコーディング行列インデックスに従ってプリコーディング行列を決定するプロセスは、具体的には以下を含む。
すなわち、ＵＥは、基地局から第１のプリコーディング行列集合の情報を受信し、第１のプリコーディング行列集合の情報は、第２のプリコーディング行列集合の部分集合を示し、次に、ＵＥは、第２のプリコーディング行列集合の部分集合に従ってコードワードインデックスを決定する。オプションで、基地局は、基地局とＵＥとの間で以前に実行された測定の結果に従って、第１のプリコーディング行列集合の情報を決定してもよい。
【０１４４】
具体的には、以下の表５に示すように、第２のプリコーディング行列集合は、プリコーディング行列インデックス０からプリコーディング行列インデックス２３までの合計２４個のインデックスに対応するプリコーディング行列で構成されるコードブックまたはプリコーディング行列集合を含む。プリコーディング行列集合は３つのインデックス集合に対応する３つの部分集合に分割し得る（つまり、３つの候補プリコーディング行列集合がある）と仮定し、対応するインデックス集合はそれぞれ０から７、８から１５、および１６から２３であると仮定すると、各インデックス集合中のインデックスはプリコーディング行列に対応する。例えば、第１のインデックスセットがプリコーディング行列インデックス０から７を含むと仮定すると、プリコーディング行列インデックス「０」に対応するプリコーディング行列は
【０１４５】
【数１７】
0006967604.tif 000022
【０１４６】
である。
【０１４７】
しかし、前述の２４個のプリコーディング行列を含むプリコーディング行列集合は、ＵＥと基地局の両方で事前定義されている。したがって、基地局によってＵＥに送信される第１のプリコーディング行列集合の情報は、候補インデックス集合の集合番号のみを含む必要があり、ＤＣＩ指示シグナリングを使用してＵＥに配信される。したがって、ＤＣＩ指示シグナリングオーバーヘッドが削減される。
【０１４８】
オプションで、ＵＥは、シグナリングを使用っして、基地局によって構成される第１のプリコーディング行列集合の情報を受信し、シグナリングは上位レイヤシグナリング（例えば、ＲＲＣシグナリングまたはＲＬＣシグナリング）、レイヤ１シグナリング（例えば、物理レイヤシグナリング）、またはレイヤ２シグナリング（例えば、ＭＡＣ  ＣＥシグナリング）のうちの少なくとも１つを含む。実装は、基地局がＲＲＣシグナリングまたはＲＬＣシグナリングを使用して、第１のプリコーディング行列集合の情報をＵＥに送信することである。
【０１４９】
別のオプションの実装は、ステップ９０１の前に、ＵＥが第１のプリコーディング行列集合の情報を基地局にレポートし、第１のプリコーディング行列集合の情報を使用して、第２のプリコーディング行列集合のどの部分集合が選択されるべきかを基地局に推奨することである。第２のプリコーディング行列集合は、アンテナポート数量設定においてＵＥのすべてのプリコーディング行列の全体集合である。例えば、第２のプリコーディング行列集合は、すべてのアンテナパネル構造下でプリコーディング行列を含む集合、またはすべてのアンテナ距離下でプリコーディング行列を含む集合である。
【０１５０】
第１のプリコーディング行列集合の情報を受信した後、基地局はプリコーディング行列インデックスを決定し、ＵＥにプリコーディング行列インデックスを配信するので、ＵＥはプリコーディング行列インデックスに従って最適なプリコーディング行列を使用してアップリンクデータを送信できる。さらに、プリコーディング行列インデックスは、第１のプリコーディング行列集合中で番号が付け直されかつ制限されているプリコーディング行列のインデックスであるため、基地局は、ＤＣＩを使用して、第２のプリコーディング行列集合に対応するプリコーディング行列インデックスをＵＥに送信することを禁止される。言い換えれば、第２のプリコーディング行列集合に対応するインデックスを示す方法と比較して、ＤＣＩ指示シグナリングが削減可能である。
【０１５１】
この実施形態では、基地局は、構成されたプリコーディング行列インデックスをＵＥに送信するので、ＵＥはプリコーディング行列インデックスに従って、ＵＥがデータを送信するときに使用されるプリコーディング行列を決定できる。行列インデックスは第１のプリコーディング行列集合から選択され、第１のプリコーディング行列集合は第２のプリコーディング行列集合の適切な部分集合であるため、ＵＥにより使用されるプリコーディング行列インデックスは迅速に示されることができる。さらに、プリコーディング行列インデックスは、第１のプリコーディング行列集合において番号が付け直されかつ制限されているプリコーディング行列のインデックスであるため、第２のプリコーディング行列集合に対応するインデックスを示す方法と比較して、ＤＣＩ指示シグナリングが削減される。
【０１５２】
加えて、ＵＥは、第１のプリコーディング行列集合の情報を基地局にレポートするので、基地局はＵＥによって推奨されるプリコーディング行列集合に従ってＵＥに対する適切なプリコーディング行列インデックスを選択できる。したがって、プリコーディング行列インデックスに対応するプリコーディング行列は、ＵＥ側の複数の可能なアンテナパネル構造に適応でき、異なるアンテナパネルパターンで最適なプリコーディング行列構成が実現され、データ送信の性能が向上される。
【０１５３】
具体的な実施形態において、基地局がプリコーディング行列インデックスを構成するとき、Ｍ（Ｍ＞１）個のプリコーディング行列集合がシステム内で事前定義され、各プリコーディング行列集合はアンテナポートパネルパターンに対応し、各プリコーディング行列インデックスにより指示されるコードワードは、プリコーディング行列集合中のプリコーディング行列に対応する。すなわち、各プリコーディング行列インデックスは、プリコーディング行列集合において番号が付け直されたプリコーディング行列のインデックスである。
【０１５４】
図１０に示すように、システムで事前定義されたＭ個のプリコーディング行列集合におけるコードワード構造は、ＵＥの複数のアンテナポートの分布および複数のアンテナポート間のアンテナ距離に関連する。パネルパターン１（パターン１）とパネルパターン４（パターン４）における同一偏波方向の４つのアンテナポート間のアンテナ距離は比較的大きい。したがって、基地局がプリコーディング行列集合を構成する場合、基地局は、パネルパターン１（パターン１）およびパネルパターン４（パターン４）に対応するプリコーディング行列集合におけるコードワードを、大きなアンテナ距離に適用可能な一部のコードワードとして構成する。オプションで、大きなアンテナ距離に適用可能なコードワードは、ＬＴＥ−Ａシステムの４つのアンテナポートのデュアルコードブック構成における大きなアンテナ距離に適用可能なコードワードであってもよい。
【０１５５】
図１０に示すように、パネルパターン２（パターン２）およびパネルパターン３（パターン３）に対応するプリコーディング行列集合中のコードワードは、小さなアンテナ距離に適用可能な一部のコードワードである。例えば、オプションで、小さなアンテナ距離に適用可能なコードワードは、ＬＴＥ−Ａシステムの４つのアンテナポートのデュアルコードブック構成の小さなアンテナ距離に適用可能なコードワードであってもよい。さらに、パネルパターン１（パターン１）およびパネルパターン４（パターン４）の同一偏波方向の４つのアンテナポート間のアンテナ距離が異なるため、異なるプリコーディング行列集合がそれぞれパネルパターン１およびパネルパターン４に対して構成され得る。これは、本願のこの実施形態では特に限定されない。
【０１５６】
加えて、ＵＥ側の異なるパネルパターンは異なるアンテナポート構造に対応するが、異なるアンテナポート構造に対応するポートブロッキング確率は異なる。したがって、ＵＥから基地局により受信された信号がＵＥの送信アンテナポートのブロッキングにより品質低下することを避けるため、プリコーディング行列集合を構成する際に、基地局は異なるアンテナパネル構造に対して異なるプリコーディング行列集合を構成する。
【０１５７】
オプションで、プリコーディング行列集合中のプリコーディング行列は、列選択ベクトルおよび位相回転によって形成されてもよい。例えば、次の表５を参照すると、表５はランク１の４つのアップリンクアンテナのプリコーディング行列の集合を示し、前述のプリコーディング行列集合中の列選択ベクトルと位相回転によって形成されるコードワードのインデックスは、表５のインデックス１６から２３を含む。ＵＥ側の異なるアンテナパネル構造によれば、異なる非ゼロ要素が基地局によって構成されたプリコーディング行列の成分中に存在する。
【０１５８】
【表５】
0006967604.tif 000023
【０１５９】
アップリンクデータを送信するための４つのアンテナポートは、｛４０、４１、４２、４３｝であると仮定する。
【０１６０】
インデックスが１６から２３であるプリコーディング行列は、基地局によって決定され、アンテナブロッキングシナリオで使用されるプリコーディング行列である。すなわち、このシナリオでは、ＵＥに対して基地局によって構成されるプリコーディング行列集合は、前述の表のインデックス１６から２３に対応するプリコーディング行列集合である。基地局によって構成され、ＵＥによって受信されるプリコーディング行列インデックスは１６から２３である。ＵＥは、プリコーディング行列インデックスに従って、データの送信時に使用されるプリコーディング行列を決定する。例えば、ＵＥは、基準信号を送信するための２つのグループのアンテナポートを含む。１つのグループのアンテナポートがブロックされ、その結果、そのグループのアンテナポートから基地局により受信される信号の品質が低下する。
【０１６１】
本願のこの実施形態による信号を送信する方法に対応して、この実施形態は、信号を送信する装置をさらに提供する。本装置は端末デバイスに配置される。図１１に示すように、具体的には、本装置は、受信部１１０１、処理部１１０２、および送信部１１０３を含む。
【０１６２】
受信部１１０１は、第１のインデックス集合中の基地局により決定されたプリコーディング行列インデックスを受信するように構成され、プリコーディング行列インデックスはデータが送信されるときに使用されるプリコーディング行列を決定するために使用され、第１のインデックス集合中の各インデックスは第１のプリコーディング行列集合中のプリコーディング行列に対応し、第１のプリコーディング行列集合は第２のプリコーディング行列集合の適切な部分集合であり、第１のインデックス集合中の任意のプリコーディング行列インデックス値は第１のプリコーディング行列集合に含まれるプリコーディング行列の数以下である。
【０１６３】
送信部１１０３は、データをプリコーディング行列インデックスに従って送信するように構成される。例えば、アップリンクサービスデータチャネル、またはアップリンク制御チャネル、またはＳＲＳなどのアップリンク基準信号が送信される。
【０１６４】
オプションで、受信部１１０１はさらに、第１のプリコーディング行列集合の情報を基地局から受信するように構成され、第１のプリコーディング行列集合の情報は第２のプリコーディング行列集合の部分集合を示す。
【０１６５】
オプションで、送信部１１０３はさらに、第１のプリコーディング行列集合の情報を基地局に送信するように構成され、第１のプリコーディング行列集合の情報は第２のプリコーディング行列集合の部分集合を示す。
【０１６６】
オプションで、受信部１１０１は具体的には、基地局により送信されたシグナリングを受信するように構成され、シグナリングは第１のプリコーディング行列集合の情報およびプリコーディング行列インデックスのうちの少なくとも１つを搬送し、シグナリングは上位レイヤシグナリング、レイヤ１シグナリング、およびレイヤ２シグナリングのうちの少なくとも１つを含む。
【０１６７】
第１のプリコーディング行列集合の情報は、ＲＲＣシグナリングまたはＲＬＣシグナリングを使用して送信され、プリコーディング行列インデックスは、ＤＣＩ指示シグナリングを使用して送信される。
【０１６８】
信号を送信する前述の装置に対応して、この実施形態は、信号を受信する装置をさらに提供する。図１２に示すように、本装置は基地局に配置される。さらに、本装置は、受信部１２０１、処理部１２０２、および送信部１２０３を含む。
【０１６９】
処理部１２０２は、第１のインデックス集合中のプリコーディング行列インデックスを決定するように構成され、プリコーディング行列インデックスは端末デバイスがデータを送信するときに使用されるプリコーディング行列を決定するために使用され、第１のインデックス集合中の各インデックスは第１のプリコーディング行列集合中のプリコーディング行列に対応し、第１のプリコーディング行列集合は第２のプリコーディング行列集合の適切な部分集合であり、第１のインデックス集合中の任意のインデックス値は第１のプリコーディング行列集合に含まれるプリコーディング行列の数以下である。
【０１７０】
送信部１２０３は、プリコーディング行列インデックスを端末デバイスに送信するように構成される。
【０１７１】
受信部１２０１は、端末デバイスにより送信されたデータをプリコーディング行列インデックスに従って受信するように構成される。
【０１７２】
オプションで、処理部１２０２はさらに、第１のプリコーディング行列集合の情報を構成するように構成され、第１のプリコーディング行列集合の情報は第２のプリコーディング行列集合の部分集合を示す。
【０１７３】
送信部１２０３はさらに、第１のプリコーディング行列集合の情報を端末デバイスに送信するように構成される。
【０１７４】
オプションで、受信部１２０１はさらに、端末デバイスにより送信された第１のプリコーディング行列集合の情報を受信するように構成される。
【０１７５】
オプションで、処理部１２０２はさらに、第２のプリコーディング行列集合の部分集合を第１のプリコーディング行列集合の情報に従って決定し、プリコーディング行列インデックスを第２のプリコーディング行列集合の部分集合に従って決定するように構成される。
【０１７６】
オプションで、送信部１２０３は具体的には、シグナリングを送信するように構成され、シグナリングは第１のプリコーディング行列集合の情報を搬送し、シグナリングは上位レイヤシグナリング、レイヤ１シグナリング、またはレイヤ２シグナリングのうちの少なくとも１つを含む。送信部１２０３は、ＲＲＣシグナリングまたはＲＬＣシグナリングを使用して、第１のプリコーディング行列集合の情報を端末デバイスに送信する。
【０１７７】
オプションで、送信部１２０３は具体的には、シグナリングを端末デバイスに送信するように構成され、シグナリングはプリコーディング行列インデックスを搬送し、シグナリングは上位レイヤシグナリング、レイヤ１シグナリング、またはレイヤ２シグナリングのうちの少なくとも１つを含む。送信部１２０３は、ＤＣＩシグナリングを使用して、プリコーディング行列インデックスを端末デバイスに送信する。
【０１７８】
特定のハードウェア実装では、本願は、前述の方法の実施形態のステップを実施するように構成された端末デバイス、例えばＵＥをさらに提供する。
【０１７９】
図１５を参照すると、端末デバイスは、トランシーバ１３０１、プロセッサ１３０２、メモリ１３０３などを含み得る。
【０１８０】
具体的には、プロセッサ１３０２は、端末デバイスの制御センターである。プロセッサ１３０２は、様々なインタフェースおよびラインを使用して端末デバイス全体の各部分を接続し、メモリに格納されたソフトウェアプログラムおよび／またはモジュールを動作させまたは実行し、かつメモリに格納されたデータを呼び出すことにより、端末デバイスの様々な機能および／またはデータ処理を実行する。
【０１８１】
プロセッサ１３０２は、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、またはＣＰＵとＮＰの組み合わせであってもよい。プロセッサは、ハードウェアチップをさらに含んでもよい。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、またはそれらの組み合わせであってもよい。ＰＬＤは、複雑なプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、汎用アレイロジック（ｇｅｎｅｒｉｃ  ａｒｒａｙ  ｌｏｇｉｃ、ＧＡＬ）、またはそれらの任意の組み合わせであってもよい。
【０１８２】
メモリ１３０３は、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒ、ＲＡＭ）を含んでもよく、不揮発性メモリ（（ｎｏｎ−ｖｏｌａｔｉｌｅ  ｍｅｍｏｒｙ）、例えば、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）をさらに含んでもよい。メモリはさらに、前述のタイプのメモリの組み合わせを含んでもよい。
【０１８３】
トランシーバ１３０１は、データを受信または送信するように構成され得る。プロセッサの制御下で、トランシーバはデータをビデオネットワークシステム内の各ノードまたは他のデバイスに送信し得る。プロセッサの制御下で、トランシーバは各ノードまたは他のデバイスによって送信されたデータを受信し得る。
【０１８４】
本願のこの実施形態では、トランシーバ１３０１は、前述の実施形態における第１のネットワークデバイスによって送信される基準信号ポートグループ情報の受信、基準信号を第１のネットワークデバイスへの送信などを実行するように構成され得る。前述の装置の実施形態の図６において、受信部６０１によって実施される機能は、端末デバイスのトランシーバ１３０１によって実施されるか、プロセッサ１３０２によって制御されるトランシーバ１３０１によって実施され得る。図６の処理部６０２によって実施される機能は、端末デバイスのプロセッサ１３０２によって実施されてもよい。
【０１８５】
図１３に示すように、この実施形態はさらに、前述の実施形態における基準信号を受信する方法を実施するように構成されたネットワークデバイスの概略構造図を提供する。ネットワークデバイスは、前述の実施形態のうちのいずれか１つにおける第１のネットワークデバイス、例えば、基地局であってもよい。
【０１８６】
基地局は、トランシーバ１４０１、プロセッサ１４０２、メモリ１４０３などを含み得る。
【０１８７】
プロセッサ１４０２は、ネットワークデバイス（基地局）の制御センターである。プロセッサ１４０２は、様々なインタフェースおよびラインを使用してネットワーク側デバイス全体の各部分を接続し、メモリに格納されたソフトウェアプログラムおよび／またはモジュールを動作させまたは実行し、かつメモリに格納されたデータを呼び出すことにより、ネットワーク側デバイスの様々な機能および／またはデータ処理を実行する。プロセッサは、中央処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、またはＣＰＵとＮＰの組み合わせでもよい。プロセッサはさらに、ハードウェアチップを含んでもよい。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、またはそれらの組み合わせであってもよい。ＰＬＤは、複雑なプログラマブルロジックデバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、汎用アレイロジック（ｇｅｎｅｒｉｃ  ａｒｒａｙ  ｌｏｇｉｃ、ＧＡＬ）、またはそれらの任意の組み合わせであってもよい。
【０１８８】
メモリ１４０３は、揮発性メモリ（ｖｏｌａｔｉｌｅ  ｍｅｍｏｒｙ）、例えば、ランダムアクセスメモリ（ｒａｎｄｏｍ  ａｃｃｅｓｓ  ｍｅｍｏｒ、ＲＡＭ）を含んでもよく、不揮発性メモリ（（ｎｏｎ−ｖｏｌａｔｉｌｅ  ｍｅｍｏｒｙ）、例えば、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）をさらに含んでもよい。メモリはさらに、前述のタイプのメモリの組み合わせを含んでもよい。メモリは、プログラムまたはコードを格納し得る。ネットワーク要素のプロセッサは、プログラムまたはコードを実行することにより、ネットワーク要素の機能を実現してもよい。
【０１８９】
トランシーバ１４０１は、データを受信または送信するように構成され得る。プロセッサの制御下で、トランシーバはデータを端末デバイスまたは他のネットワーク側デバイスに送信し得る。プロセッサの制御下で、トランシーバは端末デバイスまたは他のネットワーク側デバイスによって送信されたデータを受信する。
【０１９０】
本願のこの実施形態では、トランシーバ１４０１は、前述の実施形態の図２の基準信号を受信する方法のステップおよび図７の装置実施形態の機能を実施するように構成されてもよい。図７の受信部７０１により実施される機能は、基地局のトランシーバ１４０１によって実施されるか、またはプロセッサ１４０２によって制御されるトランシーバ１４０１によって実施されてもよく、送信部７０３によって実施される機能は、基地局のトランシーバ１４０１によっても実装されても、またはプロセッサ１４０２によって制御されるトランシーバ１４０１によって実施されてもよく、また、処理部７０２によって実施される機能は、プロセッサ１４０２によって実施されてもよい。
【０１９１】
加えて、この実施形態における端末デバイス１３００および基地局１４００はさらに、前述の方法の実施形態の図９に示されるすべての方法手順を実施するように構成される。さらに、端末デバイス１３００は、前述の装置の実施形態の図１１に示すような信号を送信する装置のすべてまたは一部の機能を実施するように構成され、基地局１４００は、前述の装置の実施形態の図１２に示すような信号を受信する装置のすべてまたは一部の機能を実施するように構成される。具体的には、すべてのユニットの機能は、対応するトランシーバとプロセッサによって実施されてもよい。
【０１９２】
特定の実装において、本願は、コンピュータ記憶媒体をさらに提供する。コンピュータ記憶媒体はプログラムを格納してもよい。プログラムが実行されるとき、本願による基準信号を送信する方法、基準信号を受信する方法、信号を送信する方法、および信号を受信する方法の実施形態に含まれる一部またはすべてのステップは実行され得る。記憶媒体は、磁気ディスク、光ディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）などであってもよい。
【０１９３】
当業者は、本願の実施形態における技術が、必要な一般的なハードウェアプラットフォームに加えてソフトウェアによって実装され得ることを明確に理解し得る。そのような理解に基づいて、本質的に本願の技術的解決策または先行技術に寄与する部分は、ソフトウェア製品の形態で実装されてもよい。ソフトウェア製品は、ＲＯＭ／ＲＡＭ、ハードディスク、または光ディスクなどの記憶媒体に格納され、コンピュータデバイス（パーソナルコンピュータ、サーバ、またはネットワークデバイスなどであってもよい）に指示して、本出願の実施形態または実施形態の一部に記載された方法を実行させるいくつかの命令を含む。
【０１９４】
本明細書の実施形態における同一または類似の部分については、相互参照が行われ得る。特に、前述の実施形態は基本的に、方法の実施形態に類似しているため、簡単に説明するが、関連する部分については、方法の実施形態の説明を参照し得る。
【０１９５】
前述の説明は本願の実装であるが、本願の保護範囲を制限することを意図するものではない。
【図１】
0006967604.tif 000024
【図２】
0006967604.tif 000025
【図３】
0006967604.tif 000026
【図４】
0006967604.tif 000027
【図５】
0006967604.tif 000028
【図６】
0006967604.tif 000029
【図７】
0006967604.tif 000030
【図８】
0006967604.tif 000031
【図９】
0006967604.tif 000032
【図１０】
0006967604.tif 000033
【図１１】
0006967604.tif 000034
【図１２】
0006967604.tif 000035
【図１３】
0006967604.tif 000036